(57)【要約】      （修正有）【課題】ベッドの近傍に設置して、天板部がベッド上方に位置して食卓等の利用に供するオーバーベッドテーブルで、特に情報端末の画像表示部を格納できるオーバーベッドテーブルに関し、天板上での食事中等に飲み物をこぼした場合、あるいは、立ち上がり時に不注意に力を加えた場合においても、収納されたパソコン等の画像表示部に悪影響を与えることがなく、使い勝手に優れたオーバーベッドテーブルを提供する。【解決手段】少なくとも、天板１００と、天板１００を支持する天板受け部３と、天板受け部３を支持する脚部２よりなり、使用時には、情報端末の画像表示部４が天板上方にあって、不使用時には格納部に収納されるオーバーベッドテーブルにおいて、天板１００は、格納部の開口を開放、閉塞可能で、且つ、外形寸法が格納部の開口よりも大きく形成されている。【選択図】    図１
2004223142.tif 000002
【特許請求の範囲】
【請求項１】
少なくとも、天板と、天板を支持する天板受け部と、天板受け部を支持する脚部よりなり、使用時には、情報端末の画像表示部が天板上方にあって、不使用時には格納部に収納されるオーバーベッドテーブルにおいて、天板は、格納部の開口を開放、閉塞可能で、且つ、外形寸法が格納部の開口よりも大きく形成されていることを特徴とするオーバーベッドテーブル。
【請求項２】
少なくとも、天板と、天板を支持する天板受け部と、天板受け部を支持する脚部よりなり、使用時には、情報端末の画像表示部が天板上方にあって、不使用時には格納部に収納されるオーバーベッドテーブルにおいて、天板は、格納部の開口を開放、閉塞可能で、且つ、外形寸法が格納部の開口よりも大きく形成され、情報端末の画像表示部は、不使用時には使用者側に回動して格納部に収納されることを特徴とするオーバーベッドテーブル。
【請求項３】
天板は、格納部の開口を開放、閉塞可能に天板受け部の幅方向に摺動自在となしたことを特徴とする請求項２に記載のオーバーベッドテーブル。
【請求項４】
天板は、格納部の開口を開放、閉塞可能に天板受け部の幅方向に摺動自在となし、情報端末の画像表示部は、垂直軸と水平軸で回動可能となしたことを特徴とする請求項２に記載のオーバーベッドテーブル。
【請求項５】
情報端末の画像表示部は、天板の摺動方向と平行に天板受け部に対し摺動自在としたことを特徴とする請求項３又は、請求項４に記載のオーバーベッドテーブル。
【発明の詳細な説明】
【０００１】
【発明の属する技術分野】本発明は、ベッドの近傍に設置して、天板部がベッド上方に位置して食卓等の利用に供するオーバーベッドテーブルで、特に情報端末の画像表示部を格納できるオーバーベッドテーブルに関する。
【０００２】
【従来の技術】従来、上記オーバーベッドテーブルとしては、板状のテーブル部と、このテーブル部を支持し、床上を移動自在な脚部とを有し、ベッドに近接させることにより前記テーブル部がベッド上方に位置するベッドサイドテーブルにおいて、複数のリモートコントロールスイッチを有するスイッチパネルが前記テーブル部に引出し自在、かつテレビ画面体がテーブル部の上面の凹部に上下方向に回動自在に設けられ、使用状態で起立し、不使用状態で前記凹部に収納されてテーブル上面と略面一となるよう設定されたものがある。（例えば、特許文献１参照。）。
この場合、テレビ画面体の裏面が不使用状態で、テーブル部上面に露出しているので、この部分に肘をついたり、あるいは、立ち上がり時に不注意に力を加えたりすることがあり、テレビ画面体に悪影響を及ぼすだけでなく、テーブル面で飲食中、誤って飲み物等をこぼした時、テレビ画面体の内部に流動物が浸入することがあり、好ましくなかった。
【０００３】
又、一部が開口した天板部と、閉状態で前記開口部を閉塞し、見かけ上一枚板を構成すると共に、前記天板部の幅方向の一端側の支軸を中心に開閉可能な蓋部と、この蓋部対向面と反対側が画面となるとなるよう前記蓋部に取り付けられた液晶テレビと、前記天板部下方に取り付けられ、前記液晶テレビを収納可能な箱体と、を有するもの（例えば、特許文献２参照。）も提供されているが、蓋部と天板部間に隙間が生じているので、前記同様誤って飲み物等をこぼした時、前記隙間から箱体内部あるいは、液晶テレビ側に流動物が浸入し、液晶テレビに悪影響を及ぼすことがあった。
【０００４】
【特許文献１】
特開平５−１６１５１０号公報
【特許文献２】
特許第２６０３１９９号公報
【０００５】
【本発明が解決しようとする課題】
本発明は、天板上での食事中等に飲み物をこぼした場合、あるいは、立ち上がり時に不注意に力を加えた場合においても、収納されたパソコン等の画像表示部に悪影響を与えることがなく、使い勝手に優れたオーバーベッドテーブルを提供することを課題するものである。
【０００６】
【課題を解決するための手段】
そこで、上記課題を解決する為、本発明の第１の手段として構成したところは、少なくとも、天板と、天板を支持する天板受け部と、天板受け部を支持する脚部よりなり、使用時には、情報端末の画像表示部が天板上方にあって、不使用時には格納部に収納されるオーバーベッドテーブルにおいて、天板は、格納部の開口を開放、閉塞可能で、且つ、外形寸法が格納部の開口よりも大きく形成されているものである。
【０００７】
次に本発明が第２の手段として構成したところは、少なくとも、天板と、天板を支持する天板受け部と、天板受け部を支持する脚部よりなり、使用時には、情報端末の画像表示部が天板上方にあって、不使用時には格納部に収納されるオーバーベッドテーブルにおいて、天板は、格納部の開口を開放、閉塞可能で、且つ、外形寸法が格納部の開口よりも大きく形成され、情報端末の画像表示部は、不使用時には使用者側に回動して格納部に収納されるものである。
【０００８】
次に本発明が第３の手段として構成したところは、前記第２の手段としての構成に加え、天板は、格納部の開口を開放、閉塞可能に天板受け部の幅方向に摺動自在となしたものである。
【０００９】
次に本発明が第４の手段として構成したところは  前記第２の手段としての構成に加え、天板は、格納部の開口を開放、閉塞可能に天板受け部の幅方向に摺動自在となし、情報端末の画像表示部は、垂直軸と水平軸で回動可能となしたものである。
【００１０】
次に本発明が第５の手段として構成したところは  前記第３および第４の手段としての構成に加え、情報端末の画像表示部は、天板の摺動方向と平行に天板受け部に対し摺動自在としたものである。
【００１１】
【実施例】
以下、本発明の第１実施例を図１〜図１０に基づいて説明する。
符号１は、第１実施例のオーバーベッドテーブルを示し、オーバーベッドテーブル１は、脚部２と、脚部２に支持された天板受け部３と、天板受け部３に幅方向で摺動自在に支持された天板１００と、天板受け部３に幅方向で摺動自在に支持された情報端末の画像表示部４と、脚部２のカバー体２００より構成されている。
【００１２】
脚部２（図９に示す。）は角パイプ材よりなり、幅方向に所定間隔（ベッドの幅寸法に対応した寸法）を有し、前後端部下面にキャスター２１１、２１１を取り付けた左右脚２１、２１と、左右脚２１、２１の前後方向の中央部を幅方向で連結する連結杆２２と、連結杆２２幅方向のいずれか端部側（実施例では右側端部）に立設された縦脚２３より構成されている。
【００１３】
脚部カバー体２００は、外面側カバー体２０１と内面側カバー体２０２と、外面側カバー体２０１と内面側カバー体２０２を幅方向で連結した下端部の内部に配設された底板２０より構成されている。
外面側カバー体２０１は、右脚２１の側端部に位置し、右脚２１の側部上方を隠蔽する外面板２４と、外面板２４の前後端部に連設され、右脚２１の前後部上方を隠蔽する右前後面板２５、２６より形成されている。
内面側カバー体２０２は、縦脚２３の側方で、縦脚２３の前方と後方を隠蔽する内面板２７と、内面板２７の前後端部に連設され、右前後面板２５、２６と連結される左前後面板２８、２９より形成されている。
底板２０は、外面板２４と右前後面板２５、２６と内面板２７と左前後面板２８、２９の下端部内に配設され、連結杆２２、と右脚２１の上面に載置連結されている。
【００１４】
脚部カバー体２００は、上記の如く形成され、内部が空洞で上端が開口し、外面側カバー体２０１側の内部を情報端末の画像表示部４の格納部４０とし、内面側カバー体２０２側の内部をコンピュータユニットの格納部４００としている。符号２５０は、画像表示部４が回動しながら収納される際の逃し用切り欠き部を示し、符号２０３・・・は、通信線等のケーブル用フックを示し、符号２０５は通信線等の導入孔を示し、符号２０６は、脚部カバー体２００の下面に配設されたコードリールを示している。
【００１５】
天板受け部３は角パイプ材より、前後に所定間隔（天板１００の前後寸法に対応）を有して幅方向に配設された前後受け桟３１、３１と、前後受け桟３１、３１の右側端部を連結する連結桟３２より平面視横向きコ字形に形成され、連結桟３２の前後方向中央部の下面が縦脚２３の上端と連結されている。
前後受け桟３１、３１の内面幅方向にスライドレール３０、３０が配設され、後受け桟３１の後方に画像表示部４の摺動用支持杆３２が取り付けられている。
【００１６】
スライドレール３０は、前後受け桟３１の内面に連結された固定側レール３０１と、固定側レール３０１にボールとリテーナを介して摺動自在な中間レール３０２と、中間レール３０２にボールとリテーナを介して摺動自在な移動側レール３０３より構成され、移動側レール３０３の内面側には天板１００を連結するための逆Ｌ字形の取り付け座３０４が設けられている。
尚、スライドレール３０には、天板１００を左方向に最もスライドさせた状態で停止させるストッパーや、天板１００を左方向に最もスライドさせた状態を簡易的に保持する仮保持機構、さらには、天板１００を右方向に最もスライドさせた状態で停止させるストッパーや、天板１００を右方向に最もスライドさせた状態を簡易的に保持する仮保持機構が組み込まれ、不用意に天板１００がスライドしないよう工夫されている。
【００１７】
そして、後受け桟３１の左側端部後面と脚部カバー体２００の後面に、取り付け金具３２１，３２１を介して長円形のパイプ材の左右端部が取り付けられて摺動用支持杆３２が形成されている。
摺動用支持杆３２には、画像表示部４を摺動用支持杆に沿って、摺動自在となす摺動体３２２が回動不能で幅方向に摺動自在に外嵌している。
そして、画像表示部４が、ブラケット４１に連結されている。
【００１８】
ブラケット４１は、摺動体３２２の上面に連結された受け座４２と、受け座４２に対し水平軸４２１にて使用者側に回動自在に連結された連結用座４２２と、連結座４２２の上端に下端が連結され、上端が、画像表示部４の裏面と連結された受け杆４３を垂直軸４２３にて回動自在に連結する受け杆受け座４４より構成されている。
尚、画像表示部４は、キーボード、マウスを一切使用しないタッチスクリーンを使用するのが好ましく、言葉や目、あるいは、耳の不自由な患者に適するよう、絵文字や音声出力を行い、病院側からの情報（検査時間、院内設備の案内等）、あるいは、患者側から情報（食事メニューの選択、入浴時間の予約等）が相互に連絡可能としている。
【００１９】
天板１００は、木質の基板１０１の周部に基板上面より上方に突出する縁材１０２を取り付けた、幅方向に長い方形状をなし、裏面が前記取り付け座３０４と連結されている。
すなわち、基板１０１の上面は縁材１０２より窪んだ状態となし、飲み物等が天板１００外に零れ落ちるのを防止した形状となっている。
尚、符号１０３は、天板１００の裏面に取付られて、天板１００と共に移動し、天板１００が左方向にスライドしたとき、前記逃し用切り欠き部２５０の前面を開放する、塞ぎ板を示している。
又、天板１００の左側端部下面の前後方向に渡って、天板１００を右方向に最もスライドさせた状態で、前後受け桟３１、３１の左側端部間に位置し、スライドレール３０、３０を隠蔽する隠し板（図示せず。）が、天板１００の左側端部下面の前後方向に渡って取り付けられている。
【００２０】
第１実施例は上記の如く構成され、画像表示画面４の通常の使用状態（図１に示す状態）で、各種情報の確認および入力を行う。
この時、画像表示画面４が使用者の最も見やすい位置となるよう、左右（幅）方向に摺動させたり、あるいは垂直軸４２３を中心軸として見やすい角度に回動させる。
又、ベッドに寝た状態で画像表示部４（テレビ画像としてみる場合等）を見る場合は  オーバーベッドテーブル１を見やすい位置に移動させて使用する。
【００２１】
次に、天板１００上で食事、あるいは、何らかの作業を行う場合（治療行為のため、医療機器を天板１００上に載置して使用する場合等）、画像表示部４が邪魔になるときは、画像表示画面４を最も右方向にスライドさせ、さらに、天板１００を左方向に最もスライドさせ（この時塞ぎ板１０３も共に移動し）、カバー体２００の上端を開口させると共に、逃し用切り欠き部２５０の前面を開放する。（図２に示す状態。）
次に、画像表示画面４を垂直軸４２３を中心軸として、天板１００のスライド方向に直角となるよう使用者側に回動させ（図３に示す状態。）、さらに、画像表示部４が外面ガバー体２００の画像表示部の格納部４０内に収納されるまで、水平軸４２１を中心軸として使用者側に回動させる  （図４に示す状態。）。
この時、逃し用きり欠き部２５０によって、右前面板２５の上方に回動途中の画像表示部４が接触することがない。
【００２２】
次に、天板１００を最も右側にスライドさせて、画像表示部の格納部４０の開口を閉塞するとともに、塞ぎ板１０３によって、逃し用きり欠き部２５０の前面を閉鎖させ、天板１００上を食事等のテーブル面として使用する。
この状態で誤って、飲み物を零し、飲み物が縁材１０２を超えて溢れたとしても、天板１００の外形寸法が格納部４０、４００の開口より大きく形成されているので、格納部４０、４００に浸入することがなく画像表示部４やコンピュータユニットに影響を与えることはない。
【００２３】
以下、本発明の第２実施例を図１１〜図１９に基いて説明する。
符号５は、第２実施例のオーバーベッドテーブルを示し、オーバーベッドテーブル５は、脚部６と、脚部６に支持された天板受け部７と、天板受け部７に幅方向で摺動自在に支持された天板１００と、天板受け部７に幅方向で摺動自在に支持された情報端末の画像表示部４と、脚部６の脚部カバー体６００より構成されている。
【００２４】
脚部６（図１８に示す。）は角パイプ材よりなり、前後方向に所定間隔を有して配設された前後縦脚６１，６１と、前後縦脚６１、６１の下端部を連結し、前後端部下面にキャスター６１１、６１１を取り付けた下連結脚６２と、前後縦脚６１、６１の上部間を連結する上連結杆６３と、下連結脚６２と幅方向に所定間隔を有し（ベッドの幅寸法に対応した寸法）、前後方向に配設され、前後端部下面にキャスター６１１、６１１を取り付けた左脚６４と、左脚６４と下連結脚６２の前後方向の中央部を幅方向で連結する連結杆６５より構成されている。
【００２５】
脚部カバー体６００は、外面側カバー体６０１と内面側カバー体６０２と、外面側カバー体６０１と内面側カバー体６０２の下端部内部に配設された底板６０より構成されている。
外面側カバー体６０１は、前後縦脚６１、６１、下連結脚６２、上連結杆６３の側部全面を隠蔽する外面板６０４と、外面板６０４の前後端部に連設され、前後縦脚６１、６１の前後部全面から幅方向所定寸法全面を隠蔽する前後面板６０５、６０６より形成されている。
内面側カバー体６０２は、前後面板６０５、６０６の内側端部と前後端部が連結され、外面板６０４と幅方向に所定間隔を有して平行に配設されている。
底板６０は、外面板６０４と前後面板６０５、６０６と内面カバー体６０２の下端部内に配設され、連結杆６５と下連結脚６２の上面に載置連結されている。
【００２６】
脚部カバー体６００は、上記の如く形成され、内部が空洞で上端が開口し、この開口部分から天板受け部７方向の内側に突出して格納カバー体９が構成されている。
符号６０３・・・は、通信線等のケーブル用フックを示し、符号６５０は通信線等の導入孔を示し、符号６６０は、脚部カバー体６００の下方に配設されたコードリールを示している。
【００２７】
天板受け部７は、角パイプ材より、前縦脚６１の上端から左側幅方向に突出する前受け桟７１と、前受け桟７１の後方に所定間隔（天板１００の前後寸法に対応）を有して幅方向に配設された後受け桟７２と、後受け桟７２の右側端部下端面と後縦脚６１の上部を連結し、後縦脚６１の上端部と後受け桟７２の右側端部間に画像表示部４の折畳み用間隙７０を形成した後連結部材７３より構成されている。
そして、前後受け桟７１、７２の内面幅方向にスライドレール３０、３０が配設され、後受け桟７２の後方に画像表示部４の摺動用支持杆７４が取り付けられている。
【００２８】
スライドレール３０、天板１００を連結するための逆Ｌ字形の取り付け座３０４は第１実施例と同様に形成されているので省略する。
そして、後受け桟７２の左側端部後面と後縦脚６１および脚部カバー体６００の後面に、取り付け金具７４１，７４１を介して長円形のパイプ材の左右端部が取り付けられて摺動用支持杆７４が形成されている。摺動用支持杆７４には画像表示部４を摺動用支持杆７４に沿って、摺動自在となす摺動体７４２が回動不能で幅方向に摺動自在に外嵌している。
そして、画像表示部４は、ブラケット４１に連結されている。
ブラケット４１は、第１実施例と同様に構成されているので説明は省略する。
【００２９】
前記格納カバー体９は、左右幅が画像表示部４の幅寸法より大きく、前後寸法が前後受け桟７１、７２の外面間寸法に対応する大きさの基板９１と、基板９１の前後端部に連設され上方に突出し、右側端部が脚部カバー体６００の前後面板６０５、６０６の上端部内面と連結され、前後受け桟７１、７２の右側端部の外面に位置する前後閉塞板９２、９３と、基板９１の左側端部に連設され、上方に突出して前後受け桟７１、７２間を閉塞する左側閉塞板９４より形成され、上端が開口する画像表示部４の格納部９０が構成される。
尚、前記折畳み用間隙７０に対応して、後閉塞板９３には切り欠部９３１が形成されている。
天板１００は、第１実施例と同様であるが、第１実施例の塞ぎ板１０３は設けられていない。
【００３０】
第２実施例は上記の如く構成され、画像表示画面４の通常の使用状態（図１１に示す状態）で、各種情報の確認および入力を行う。この時、画像表示画面４が使用者の最も見やすい位置となるよう、左右（幅）方向に摺動させたり、あるいは垂直軸４２３を中心軸として見やすい角度に回動させる。
又、ベッドに寝た状態で画像表示部４（テレビ画像としてみる場合等）を見る場合は  オーバーベッドテーブル１を見やすい位置に移動させて使用する。
【００３１】
次に、天板上で食事、あるいは、何らかの作業を行う場合（治療行為のため、医療機器を天板１００上に載置して使用する場合等）、画像表示部４が邪魔になるときは、画像表示画面４を最も右方向にスライドさせ、さらに、天板１００を左方向に最もスライドさせ、格納カバー体９の上端を開口させる。（図１２に示す状態。）
次に、画像表示画面４を格納カバー体９の画像表示部の格納部９０内に収納されるまで、水平軸４２１を中心軸として使用者側に回動させる  （図１３に示す状態。）。
【００３２】
次に、天板１００を最も右側にスライドさせて、画像表示部の格納カバー体９の開口を閉塞し天板１００上を食事等のテーブル面として使用する。
この状態で誤って、飲み物を零し、飲み物が縁材１０２を超えて溢れたとしても、天板１００の外形寸法が格納カバー体９の開口より大きく形成されているので、格納部９０に浸入することがなく画像表示部４に影響を与えることはない。
【００３３】
【発明の効果】
請求項１に記載の発明によると、天板は、格納部の開口を開放、閉塞可能で、且つ、外形寸法が格納部の開口よりも大きく形成されているので、天板上での食事中等に飲み物をこぼした場合、あるいは、立ち上がり時に不注意に力を加えた場合においても、収納されたパソコン等の画像表示部に悪影響を与えることがなく、使い勝手に優れたオーバーベッドテーブルを提供することが出来る。
【００３４】
請求項２に記載の発明によると、前記効果に加え、情報端末の画像表示部は、不使用時には使用者側に回動して格納部に収納されるので、格納途中で画像表示部が使用者に近づくので、格納操作が容易で、又、格納を確実に行う事が出来、
使い勝手にすぐれている。
【００３５】
請求項３に記載の発明によると、前記効果に加え、天板は天板受け部の幅方向に摺動自在であるから、すなわち、天板は画像表示部の使用状態でベッド脇の通路側に移動するので、移動スペースを十分に確保でき、使用者が天板の摺動にともなって、摺動スペースを確保するため身体を動かす必要がなく使い勝手がよい。
【００３６】
請求項４に記載の発明によると、前記効果に加え、画像表示部は垂直軸と水平軸で回動可能となしたことにより、画像表示部を縦方向に格納部に収納できるので、格納部の開口を開放する天板の移動距離が少なくてすみ、画像表示部の収納操作が容易である。
【００３７】
請求項５に記載の発明によると、前記効果に加え、情報端末の画像表示部は、天板の摺動方向と平行に天板受け部に対し摺動自在としているので、使い勝手の良い位置で使用できるとともに、収納する場合は天板のスライド方向と反対方向にスライドさせることで、天板のスライド幅を小さくすることが出来るとともに、最適な収納位置で収納することが出来る。
【図面の簡単な説明】
【図１】第１実施例の使用状態を示す斜視図
【図２】第１実施例の格納部を開口し、画像表示部を右側に摺動した状態の斜視図
【図３】図２の状態より、画像表示部を垂直軸を中心に手前に９０度回動した状態の斜視図
【図４】図３の状態より、画像表示部を格納部に収納した状態の斜視図
【図５】図４の状態より、天板をスライドさせ、格納部を閉鎖した状態の斜視図
【図６】図１のＡ―Ａ線断面図
【図７】図６のＣ部拡大図
【図８】図１のＢ―Ｂ線拡大断面図
【図９】第１実施例の脚部と天板受け部の斜視図
【図１０】第１実施例の脚部カバー体の斜視図
【図１１】第２実施例の使用状態を示す斜視図
【図１２】第２実施例の格納部を開口し、画像表示部を右側に摺動した状態の斜視図
【図１３】図１２の状態より、画像表示部を格納部に収納した状態の斜視図
【図１４】図１３の状態より、天板をスライドさせ、格納部を閉鎖した状態の斜視図
【図１５】図１１のＤ―Ｄ線断面図
【図１６】図１５のＦ部拡大図
【図１７】図１１のＥ−Ｅ線拡大断面図
【図１８】第２実施例の脚部と天板受け部の斜視図
【図１９】第２実施例の脚部カバー体の斜視図
【符号の説明】
１            オーバーベッドテーブル
１００        天板
２、６        脚部
３、７        天板受け部
４            画像表示部
４０、９０    格納部
４２１        水平軸
４２３        垂直軸
【図１】
2004223142.tif 000003
【図２】
2004223142.tif 000004
【図３】
2004223142.tif 000005
【図４】
2004223142.tif 000006
【図５】
2004223142.tif 000007
【図６】
2004223142.tif 000008
【図７】
2004223142.tif 000009
【図８】
2004223142.tif 000010
【図９】
2004223142.tif 000011
【図１０】
2004223142.tif 000012
【図１１】
2004223142.tif 000013
【図１２】
2004223142.tif 000014
【図１３】
2004223142.tif 000015
【図１４】
2004223142.tif 000016
【図１５】
2004223142.tif 000017
【図１６】
2004223142.tif 000018
【図１７】
2004223142.tif 000019
【図１８】
2004223142.tif 000020
【図１９】
2004223142.tif 000021